(57)【要約】【課題】本発明は、工作機械の締結装置に工具ホルダを着脱する際の着脱時間の短縮及び工具ホルダの位置決め精度の向上に関する。【解決手段】締結装置１は、締結装置の支持側面１１と楔形側面１２との間の溝に装着して工具ホルダ５の位置決めをするストッパーブロック２と、ストッパー締結具締め付けボルト６を介して、締結装置の楔形側面１２側のネジ穴８に締結されストッパーブロックを位置決めした位置に締結するボルト貫通穴８’を有する楔形ストッパー締結具３と、工具ホルダの少なくとも全長以下の長さを有する楔形ホルダ締結具４であり締結装置の支持側面と楔形側面との間の溝に装着されて締結装置の楔形側面１２側のネジ穴９に締結具締め付けボルト７を介して締結されて工具ホルダを締結するボルト貫通穴９’を有する楔形ホルダ締結具とを備える。【選択図】      図１
2004209627.tif 000002
【特許請求の範囲】
【請求項１】
工具ホルダを着脱可能に取り付ける締結装置であって、
前記締結装置（１）は、
前記締結装置（１）の支持側面（１１）と楔形側面（１２）との間の溝に装着して、前記工具ホルダ（５）を位置決めするストッパーブロック（２）、
前記締結装置（１）の楔形側面（１２）側のネジ穴（８）にストッパー締め付けボルト（６）を介して締結され、前記ストッパーブロック（２）を位置決めした位置に締結するボルト貫通穴（８’）を有する楔形ストッパー締結具（３）、及び
前記工具ホルダ（５）の少なくとも全長以下の長さを有する楔形ホルダ締結具（４）であり、前記締結装置（１）の支持側面（１１）と楔形側面（１２）との間の溝に装着され、前記締結装置（１）の楔形側面（１２）側のネジ穴（９）に締結具締め付けボルト（７）を介して締結され、前記工具ホルダ（５）を締結するボルト貫通穴（９’）を有する楔形ホルダ締結具（４）、
を備え、且つ
それぞれの１本の前記締め付けボルト（６、７）を、締め付け方向に作動回転させることによって、前記楔形ストッパー締結具（３）と前記楔形ホルダ締結具（４）のそれぞれを前記締結装置（１）に締め付け、且つ離間方向に作動回転させることによって前記楔形ストッパー締結具（３）と前記楔形ホルダ締結具（４）のそれぞれを締結装置から離間させ、工具ホルダを前記締結装置に着脱可能にしたことを特徴とする工具ホルダの締結装置。
【請求項２】
前記締め付けボルト（６、７）は、前記ボルトの頭部とネジ溝部の間に弾性リング（１７）を備えたことを特徴とする請求項１記載の工具ホルダの締結装置。
【請求項３】
前記弾性リング（１７）を備えた締め付けボルト（６、７）に代えて、一方の端部に左ネジ（７’−１）を有し、もう一方の端部に右ネジ（７’−２）を有する左右両ネジ付き締め付けボルト（６’、７’）を備え、且つ
前記楔形ストッパー締結具（３）と前記楔形ホルダ締結具（４）のそれぞれのボルト貫通穴（８’、９’）に代えて、ネジ込まれる前記左右両ネジ付き締め付けボルト（６’、７’）のネジピッチに相当するネジ穴にしたことを特徴とする請求項１記載の工具ホルダの締結装置。
【請求項４】
前記楔形ホルダ締結具が、前記工具ホルダの側面（１４）またはコーナ（１９）を押し付ける押し付けボルト（１８−１、１８−２、１８−３）を備えることを特徴とする請求項１記載の工具ホルダの締結装置。
【請求項５】
前記ストッパーブロック（２）が、前記ストッパーブロックの軸方向中心を貫通して前記工具ホルダ（５）の位置を調整する調整ボルト（２０）を備えることを特徴とする請求項１〜４のいずれか１に記載の工具ホルダの締結装置。
【請求項６】
前記ストッパーブロックが、前記ストッパーブロックの軸方向中心を貫通して前記工具ホルダ（５）の位置を調整する位置決め棒（２３）を備え、且つ前記ストッパーブロックが、前記位置決め棒の位置を調整する位置決めボルト（２２）及び前記位置決め棒を固定する固定ボルト（２１）を備えることを特徴とする請求項１〜４のいずれか１に記載の工具ホルダの締結装置。
【請求項７】
前記工具ホルダを締結及び位置出しするために、前記工具ホルダは、前記工具ホルダの側面に円錐くぼみ、または側面が互いに交わるコーナにＶ字状の溝が備わることを特徴とする請求項１〜４のいずれか１に記載の工具ホルダの締結装置。
【請求項８】
前記工具ホルダ（５）を前記締結装置（１）に締結する楔形ホルダ締結具（４）が、スプリングナット（１２１）と、前記スプリングナットでネジ締結される前記締結具締め付けボルト（７）とを備え、
前記スプリングナット（１２１）を、前記締結具締め付けボルト（７）に、前記楔形ホルダ締結具（７）を回動可能に挟んでネジ締結することにより、前記締結具締め付けボルト（７）が、前記楔形ホルダ締結具（４）から脱落を回避すること、
を特徴とする請求項１〜６のいずれか１に記載の工具ホルダの締結装置。
【請求項９】
前記工具ホルダ（５）を前記締結装置（１）に締結する楔形ホルダ締結具（４）が、
スプリングナット（１２１）でネジ締結される前記締結具締め付けボルト（７）を備えるとともに、
前記楔形ホルダ締結具（４）の前記ボルト貫通穴（９’’）の短軸方向のいずれか一方の側面に上向きバネ装着スリット（１２７）が設けられ、且つ前記上向きバネ装着スリット内に上向きバネ（１２６）が装着され、
前記締結装置（１）に前記工具ホルダ（５）を締結する前後の前記締結具締め付けボルト（７）を緩めた状態において、前記上向きバネの端部（１２６−１）が、前記締結装置（１）と前記楔形ホルダ締結具の楔形側面（１２）と間隔を広げる方向に弾性的に作用して、前記工具ホルダ（５）を前記締結装置に仮留めする上向きバネ、
を特徴とする請求項８記載の工具ホルダの締結装置。
【請求項１０】
前記工具ホルダ（５）を前記締結装置（１）に締結する楔形ホルダ締結具（４）が、
スプリングナット（１２１）でネジ締結される前記締結具締め付けボルト（７）を備えるとともに、
前記楔形ホルダ締結具（４）の前記ボルト貫通穴（９’’）の短軸方向のいずれか一方の側面に上向きバネ装着スリット（１２７）が設けられ、且つ前記上向きバネ装着スリット内に上向きバネ（１２８）が装着され、
前記締結装置（１）に前記工具ホルダ（５）を締結する前後の前記締結具締め付けボルト（７）を緩めた状態において、前記上向きバネの端部（１２８−１）が、前記締結具締め付けボルト（７）と前記楔形ホルダ締結具の楔形側面（１２）と間隔を広げる方向に弾性的に作用して、前記工具ホルダ（５）を前記締結装置に仮留めする上向きバネ、
を特徴とする請求項８記載の工具ホルダの締結装置。
【請求項１１】
前記工具ホルダ（５）を前記締結装置（１）に締結する楔形ホルダ締結具（４）が、
前記ボルト貫通穴（９’’）の短軸方向の径より大きな直径の頭部（１２３）を有する頭部付きスリーブナット（１２２）と、前記頭部付きスリーブナットでネジ締結される前記締結具締め付けボルト（７）を備え、
前記締結具締め付けボルト（７）と、頭部付きスリーブナット（１２２）とが、前記楔形ホルダ締結具を回動可能に挟んで締結されることにより、前記締結具締め付けボルト（７）が、前記楔形ホルダ締結具（４）から脱落を回避する前記頭部付きスリーブナット（１２２）、
を特徴とする請求項１〜６のいずれか１に記載の工具ホルダの締結装置。
【請求項１２】
前記工具ホルダ（５）を前記締結装置（１）に締結する楔形ホルダ締結具（４）が、
頭部付きスリーブナット（１２２）と、前記頭部付きスリーブナットでネジ締結される前記締結具締め付けボルト（７）とを備えるとともに、前記頭付きスリーブナット（１２２）と前記楔形ホルダ締結具の楔形側面（１２）との間の楔形ホルダ締結具（４）内に備わり、且つ前記工具ホルダ（５）を前記締結装置に仮留めする板バネ（１２４）とを備え、
前記締結装置（１）に前記工具ホルダ（５）を締結する前後の前記締結具締め付けボルト（７）を緩めた状態において、前記板バネ（１２４）の弾性力が前記楔形側面（１２）と前記頭付きスリーブナット（１２１）との間隔を広げる方向に作用して、前記工具ホルダ（５）を前記締結装置に仮留めする板バネ、
を特徴とする請求項１１記載の工具ホルダの締結装置。
【請求項１３】
前記板バネ（１２４）の代わりに、固定端付きコイルバネ（１２５）を備えることを特徴とする請求項１２記載の工具ホルダの締結装置。
【請求項１４】
前記工具ホルダ（５）を前記締結装置（１）に締結する楔形ホルダ締結具（４）が、
頭部付きスリーブナット（１２２）と、前記頭部付きスリーブナットでネジ締結される前記締結具締め付けボルト（７）とを備えるとともに、前記頭付きスリーブナット（１２２）と前記楔形ホルダ締結具の楔形側面（１２）との間の楔形ホルダ締結具（４）内に備わり、且つ前記工具ホルダ（５）を前記締結装置に仮留めする横バネ（１２９）とを備え、
前記締結装置（１）に前記工具ホルダ（５）を締結する前後の前記締結具締め付けボルト（７）を緩めた状態において、前記横バネ（１２９）の弾性力が前記楔形側面（１２）と前記頭付きスリーブナット（１２１）との間隔を広げる方向に作用して、前記工具ホルダ（５）を前記締結装置に仮留めする横バネ、
を特徴とする請求項１１記載の工具ホルダの締結装置。
【発明の詳細な説明】
【０００１】
【発明の属する技術分野】
本発明は、旋盤、ＮＣ旋盤及び自動盤などの種々の工作機械に、工具ホルダ取り付けるための締結装置に関する。
【０００２】
【従来の技術】
従来の工具ホルダの締結装置は、複数の締結ボルトと一つのジャッキアップボルトとを設けた楔形ホルダ締結具を備え、この楔形ホルダ締結具の長さは、締結される工具ホルダのシャンクの長さとほぼ同一の長さを有する。この従来の締結装置においては、楔形ホルダ締結具の複数の締結ボルトを締結装置に締付けることによって、楔形ホルダ締結具と締結装置との互いの楔面の相互作用を介して、工具ホルダは締結装置に装着することができる。また、工具ホルダを締結装置から取り外すときは、複数の締結ボルトを緩めた後に予め緩めておいたジャッキアップボルトを締結装置に締付けることによって、楔形ホルダ締結具と締結装置との互いの楔面が離間するので工具ホルダを取り外すことができる。
【０００３】
工具ホルダの取り付け取り外しを簡素化する種々の装置が既知である。特開昭第２０００−１９０１１０号には、工具ホルダシャンクを工作機械に保持する装置を開示する。この装置は、切削インサートを装着するツールホルダのホルダシャンクと、ベース部材に備わるロックロッドとを解除可能に保持する装置であるが、ホルダシャンクとロックロッドとの着脱耕造が複雑であり、且つ小型化するのに難点がある。
【０００４】
特開昭第２００１−３００８０２号は、ＮＣ旋盤らの工作機械のくし歯刃物台に用いられる切削工具の着脱可能固定機構を開示する。この固定機構は、複数の工具を配列配置で支持する支持部材を備え、この支持部材を複数の取り付けボルトを締付けることによって、切削工具を工作機械のくし歯刃物台に装着する。
【０００５】
しかしながら、上記従来技術の工具ホルダの締結装置は、工具ホルダの着脱には、複数の締結ボルトを締め付けまたは緩めることを必要とするので、着脱にかなりの時間を必要とし、構造的にかなり複雑であり小形化すること、及び簡素にすることに課題がある。また、切削ホルダを所定の位置に配置は目視により行なうので、刃先位置を繰り返し正確に設定することが困難である。
【０００６】
【特許文献１】
特開昭２０００−１９０１１０号公報（特許請求の範囲、第１図）
【特許文献２】
特開昭２００１−３００８０２号公報（特許請求の範囲、第１図）
【０００７】
【発明が解決しようとする課題】
本発明は、上記従来技術を考慮して、旋盤、ＮＣ旋盤及び自動盤らの工作機械に一本または複数の工具ホルダ特に小形工具ホルダを着脱する際に、着脱時間を短縮すること、及び工具ホルダの位置決め精度を向上させることを可能にする締結具を備えた工具ホルダの締結装置の改良を目的とする。
【０００８】
【課題を解決するための手段】
本発明の１本または複数の工具ホルダ５を装着する締結装置１においては、工具ホルダ５を締結装置１に締付ける楔形ホルダ締結具４の全長を従来のものより短くし、且つ楔形ホルダ締結具に備わる締め付けボルト７を１本とする。それによって、この１本の締め付けボルト７を作動回転させることによって、楔形ホルダ締結具４を工具ホルダ５の締結装置１への取り付け、及び締結装置１からの取り外しを可能にする。このような構成によって、本発明の工具ホルダ５の締結装置１は、締め付けボルト７の削減及びジャッキアップボルト１１３（図１参照）の削除ができ楔形ホルダ締結具４の小型化及び簡素化を達成することができる。さらに、現在一般的に使用されている工具ホルダを改良することなく、締結装置への工具ホルダの着脱時間の短縮を達成することができる。
【０００９】
さらに、本発明の１本または複数の工具ホルダ５を装着する締結装置１においては、工具ホルダ５の締結装置１とともに工具ホルダ５の切刃後方の後端部にストッパーブロック２と、ストッパーブロック２を所定位置に固定する楔形ストッパー締結具３とを備える。それによって、工具ホルダの締結装置への取り付けの際に、工具ホルダの配置位置を正確に制御することがで切る。
【００１０】
さらに、本発明の楔形ホルダ締結具４は取り付けボルトを備えることによって、工具ホルダを締結装置に安定に取り付けることができる。この取り付けボルトは弾性取り付け具または弾性取り付け具付き取り付けボルトに代えることで、さらに工具ホルダを締結装置に安定に取り付けできる。
【００１１】
【発明の実施の形態、及び実施例】
本発明の１本または複数の工具ホルダ５を装着する締結装置１は、上記構成を備えることによって、それぞれの１本の締め付けボルト６、７を、締め付け方向に作動回転させることによって、楔形ストッパー締結具３と楔形ホルダ締結具４とのそれぞれを締結装置１に締め付け、且つ離間方向に作動回転させることによって楔形ストッパー締結具３と楔形ホルダ締結具４とのそれぞれを締結装置から離間させ、工具ホルダを締結装置に着脱可能にしたことを特徴とする。
【００１２】
図１の（ａ−１）及び（ａ−２）に示す締結装置１は（以下の実施例は、１本の工具ホルダを装着する場合を例として示す）、楔形ホルダ締結具４の側面１３と、工具ホルダ２の側面１４とが互いに締結装置１の溝底１５に対して直角に締結される場合を示す。図１の（ｂ−１）及び（ｂ−２）に示す締結装置１は、楔形ホルダ締結具４の側面１３が、工具ホルダ２の側面１４に対して角度１６を成して互いに締結される場合を示す。この場合、工具ホルダの側面の一部に、楔形ホルダ締結具４の側面１３の角度１６に対応する角度を形成する必要がある。
【００１３】
図２の（ａ）、（ｂ）及び（ｃ）は、締結具締め付けボルト７とを示す。これらの図には締結具締め付けボルト７のみを示すが、ストッパー締め付けボルト６も締結具締め付けボルトと同一形状とすることができる。図２の（ａ）は、楔形ホルダ締結具４に締結具締め付けボルト７を装着した図であり、締め付けボルトは、例えばロックワッシャー、スプリングワッシャーのような弾性リング１７が備わる。この弾性リングは、楔形ストッパー締結具３または楔形ホルダ締結具４を締結装置から取り外す場合、締め付けボルトを緩めることによって、弾性リングが楔形ストッパー締結具３または楔形ホルダ締結具４を締結装置から押し戻す方向に作用する。したがって、弾性リングを備えた締め付けボルトのみによって、楔形ストッパー締結具３または楔形ホルダ締結具４を締結装置に着脱可能にすることができる。締め付けボルトに弾性リングを装着するために、締め付けボルトには図２の（ｂ）に示すようにスリット１０が設けられ、このスリット内に図２の（ｃ）に示すように弾性リングが取り付けられる。
【００１４】
さらに、上記弾性リング１７を備えた締め付けボルト６、７に代えて、図３に示すように、一方の端部に左ネジ７’−１を有し、もう一方の端部に右ネジ７’−２を有する左右両ネジ付き締め付けボルト６’、７’を備えた左右両ネジ付き締め付けボルト６’、７’を使用することができる。この左右両ネジ付き締め付けボルトに代えた場合、楔形ストッパー締結具３と楔形ホルダ締結具４のそれぞれのボルト貫通穴８’、９’に代えて、ネジ込まれる左右両ネジ付き締め付けボルト６’、７’のネジピッチに相当するネジ穴８、９に変更する。例えば、従来の締結装置１（例えば、自動盤などの刃物台）の締結ボルトのネジ穴８、９は、右ネジが使用されているので、楔形ホルダ締結具３、４のネジ穴８、９は左ネジとする。これによって、例えば工具ホルダ５を装着する場合、左右両ネジ付き締め付けボルト７’を取り付け方向に回転すると、楔形ホルダ締結具４が工具ホルダ５を押し付ける方向に移動して工具ホルダ５を締結装置１に締結することができる。一方、左右両ネジ付き締め付けボルト７’を取り外し方向に回転すると、楔形ホルダ締結具４は工具ホルダ５から離間する方向に移動し工具ホルダ５を締結装置１から取り外すことができる。なお、ストッパーブロック２を楔形ストッパー締結具３で固定する場合も、左右両ネジ付き締め付けボルト６’を用いて上記と同様に取り付け取り外しができる。すなわち、左右両ネジ付き締め付けボルトのみによって、楔形ストッパー締結具３または楔形ホルダ締結具４を締結装置に着脱可能にすることができ、締め付けボルトはネジ部の直径以上の太さ部分を備えないので、装置をさらに小形にすることができ、すなわち、小さなシャフトの工具ホルダに適用することができる。
【００１５】
次に、工具ホルダを締結装置に安定に取り付ける楔形ホルダ締結具について示す。工具ホルダを締結装置にさらに安定に取り付けるためには、図４の（ａ〜ｃ）に示すように、楔形ホルダ締結具４が、工具ホルダ５の側面１４、上面、またはコーナ１９を押し付ける押し付けボルト１８−１、１８−２、１８−３を備える。図４の（ａ）と図４の（ｂ）は側面を押し付ける押し付けボルトを示し、図４の（ｃ）はコーナを押し付ける押し付けボルトを示す。このように楔形ホルダ締結具に押し付けボルトを備えることによって、締結装置の溝の側面及び底面に工具ホルダを安定且つ適正に装着することができた。
【００１６】
工具ホルダ５を軸方向にさらに正確に位置決めするために、本発明においては、図５の（ａ）及び（ｂ）に示すようなストッパーブロック２に調整手段として調整ボルト２０または位置決め棒２３を備えることができる。第１の調整ボルト２０は、図５の（ａ）に示すように、ストッパーブロック２の軸方向中心を貫通してストッパーブロックの全長より長いボルトとする。この調整ボルトが工具ホルダの後端部に接触する端部面は、この調整ボルトの直径より小さくする。この第１の調整ボルト２０は、楔形ストッパー締結具３によりストッパーブロックを予め所望の位置に位置決めをしておく。さらに、このストッパーブロック２に備わる調整ボルト２０によって工具ホルダを所望の位置に位置出しをする。また、第２の位置決め棒２３は、図５の（ｂ）に示すように、ストッパーブロック２内の軸方向中心を貫通する穴内に挿入された位置決め棒２３である。この位置決め棒２３は、ストッパーブロックの一面に設けたネジ穴にねじ込まれる固定ボルト２１と位置決めネジ２２によって固定及び位置決めをする。この第２の位置決め棒２３の場合も、楔形ストッパー締結具３によりストッパーブロックを予め所望の位置に位置決めをしておく。さらに、図５の（ｂ）に示すように、このストッパーブロック２に備わる位置決めネジ２２によって、工具ホルダに対面する側に位置する位置決め棒２３の面取り端部を押し付けて位置決めをして、その後固定ボルト２１によって位置決め棒２３を固定する。上記第１及び第２の調整手段によって、本発明においては、工具ホルダを所望の位置に非常に正確に位置出しすることができる。
【００１７】
工具ホルダ５を軸方向に位置決めする別の手段を示す。この手段は、図６に示すように、工具ホルダ５の長さ軸方向のコーナにＶ字状の切込み２４をもうけ、さらに、楔形ホルダ締結具に少なくとも一つの押し付けボルト１８−１（図６の（ａ））、１８−２（図６の（ｂ）），１８−３（図６の（ｃ））を設ける。この手段においては、少なくとも一つの押し付けボルト１８−１、１８−２，１８−３を、Ｖ字状の切込み２４の斜面（ストッパーブロックに近い斜面）を押し付けることによって、工具ホルダ５をストッパーブロック２に一定圧力で押し付けることができる。図６の（ａ）の押し付けボルト１８−１は、締結装置の側面に向かうボルトであり、図６の（ｂ）の押し付けボルト１８−２は、締結装置の溝底面に向かうボルトであり、且つ図６の（ｃ）の押し付けボルト１８−３は、締結装置の溝底面及び側面に対して所定の角度を成すボルトであるが、いずれ押し付けボルトを使用しても工具ホルダは締結装置の側面と溝底面の双方に押し付けることができる。また、Ｖ字状の切込み２４に当接する押し付けボルト１８−１、１８−２，１８−３の先端部は、球形またはＶ字状の切込みに対応する円錐形とするが、切込みを付けない場合は平らな先端部とすることもできる。
【００１８】
また、工具ホルダを締結装置にさらに安定に取り付ける楔形ホルダ締結具について以下に説明する。工具ホルダを締結装置にさらに安定に取り付けるためには、楔形ホルダ締結具４が、図６に示し押し付けボルトに代えて弾性押し付け具、または弾性押し付け具付き押し付けボルトを備え、弾性押し付け具または弾性押し付け具付き押し付けボルトが工具ホルダ５の側面１４、上面、またはコーナ１９を押し付ける。このように楔形ホルダ締結具に弾性押し付け具または弾性押し付け具付き押し付けボルトを備えることによって、締結装置の溝の側面及び底面に工具ホルダを安定且つ適正に装着することができる。弾性押し付け具及び弾性押し付け具付き押し付けボルトとしては、スプリングコイル、弾性ゴム、板バネ、スプリングワッシャー、皿バネ、及びスプリングプランジャースクリューらを使用する。図９に弾性押し付け具及び弾性押し付け具付き押し付けボルトの一例として、スプリングプランジャースクリューを示す。このスプリングプランジャースクリュー２６は、工具ホルダーを締結装置の溝に押し付けるネジ部２６−１と、工具ホルダに当接する先端部（丸型または平型先端を有する）２６−２と、スプリングを固定するプラグネジ２６−３と、先端部を介して工具ホルダを押し付けるスプリング２６−４を備える。
【００１９】
上記押し付けボルトに代えて弾性押し付け具または弾性押し付け具付き押し付けボルトを用いて、工具ホルダ５を軸方向に位置決めする手段を以下に示す。この手段は、図６に示す工具ホルダ５の長さ軸方向のコーナにＶ字状の切込み２４をもうけ、さらに、図６に示す押し付けボルトに代えて楔形ホルダ締結具に少なくとも一つの弾性押し付け具付き押し付けボルト（例えば図９に示すスプリングプランッジャースクリュー）を備える。この手段においては、図６に示す押し付けボルトに代えて少なくとも一つの弾性押し付け具付き押し付けボルトを、Ｖ字状の切込み２４の一つの斜面（ストッパーブロックに近い斜面）に押し付けることによって、工具ホルダ５をストッパーブロック２に一定圧力で押し付けることができる。図６の（ａ）に示す押し付けボルトに代わる弾性押し付け具付き押し付けボルトは、締結装置の側面に向かうボルトであり、図６の（ｂ）に示す押し付けボルトに代わる弾性押し付け具付き押し付けボルトは、締結装置の溝底面に向かうボルトであり、且つ図６の（ｃ）に示す押し付けボルトに代わる弾性押し付け具付き押し付けボルトは、締結装置の溝底面及び側面に対して所定の角度を成すボルトであるが、いずれ弾性押し付け具（スプリングプランジャースクリュー、スプリングコイル、弾性ゴム、板バネ、スプリングワッシャー、及び皿バネ等）を備えた押し付けボルトを使用しても工具ホルダは締結装置の側面と溝底面の双方に押し付けることができる。また、Ｖ字状の切込み２４に当接する弾性押し付け具の先端部は、球形またはＶ字状の切込みに対応する円錐形とするが、切込みを付けない場合は平らな先端部とすることもできる。
【００２０】
図６の（ａ）に示す押し付けボルトに代わる弾性押し付け具は、締結装置の側面に向かう押し付け具であり、図６の（ｂ）に示す押し付けボルトに代わる弾性押し付け具は、締結装置の溝底面に向かう押し付け具であり、且つ図６の（ｃ）に示す押し付けボルトに代わる弾性押し付け具は、締結装置の溝底面及び側面に対して所定の角度を成す押し付け具であるが、いずれの押し付け具（スプリングプランジャースクリュー、スプリングコイル、弾性ゴム、板バネ、スプリングワッシャー、皿バネら）を使用しても工具ホルダは締結装置の側面と溝底面の双方に押し付けることができる。また、Ｖ字状の切込み２４に当接する弾性押し付け具の先端部は、球形またはＶ字状の切込みに対応する円錐形とするが、切込みを付けない場合は平らな先端部にすることもできる。
【００２１】
さらに、本発明においては工具ホルダ５を一部加工改良することによって、さらに工具ホルダ５の装着効率及び位置出しを改良することができる。図７に示すように、工具ホルダ５の装着効率を改良するために、工具ホルダの後端部を面取り２５（バックテーパ、円錐台形、球面形状または複数のバックテーパと球面形状と円錐台形との組合せ）を設け、工具ホルダを締結装置１に取り付け容易にすることができる。
【００２２】
さらに、本発明の締結装置においては、ストッパーブロック２を取り外して、楔形ストッパー締結具３と楔形ホルダ締結具４の双方を使用して、従来型の長い工具ホルダを取り付けることもできる。
【００２３】
次ぎに、本発明の楔形ホルダ締結具からの締結具締め付けボルトの脱落防止手段、及び締結装置への工具ホルダの仮留め手段を説明する。
【００２４】
本発明の締結具締め付けボルトを備えた楔形ホルダ締結具４は、図１０、１１に示すように、締結具締め付けボルト７が締結状態でなくても、楔形ホルダ締結具４のボルト貫通穴９’から締結具締め付けボルト７が脱落することなくに仮留め状態にしておくことができる。また、本発明の楔形ホルダ締結具４は、図１２〜１６に示すように、工具ホルダ５を締結装置１に取り付ける前後に、工具ホルダ５を締結装置１から脱落することなくに仮留め状態にしておくことができる。本発明の楔形ホルダ締結具が、上記のような構成を備えることによって、工具ホルダ５の締結装置に１への取り付け及び取り外しが非常に簡便且つ容易にすることができる。
【００２５】
以下に図１０、１１を参照して、楔形ホルダ締結具４のボルト貫通穴９’’から締結具締め付けボルト７が脱落することなくに仮留め状態にしておくことができる楔形ホルダ締結具４を具体的に説明する。
【００２６】
図１０に示すように、本発明の工具ホルダの締結装置にいては、工具ホルダ５を締結装置１に締結する楔形ホルダ締結具４が、スプリングナット１２１を装着した締結具締め付けボルト７を備える。そして、スプリングナット１２１を、締結具締め付けボルト７に、楔形ホルダ締結具７を回動可能に挟んでネジ締結することができるので、締結具締め付けボルト７を、楔形ホルダ締結具４から脱落を回避する。
【００２７】
また、図１１に示すように、本発明の工具ホルダの締結装置においては、工具ホルダ５を締結装置１に締結する楔形ホルダ締結具４が、ボルト貫通穴９’’の短軸方向の径より大きな直径の頭部１２３を有する頭部付きスリーブナット１２２とネジ締結される締結具締め付けボルト７を備える。この締結具締め付けボルト７と、頭部付きスリーブナット１２２とが、楔形ホルダ締結具を回動可能に挟んで締結することにより、締結具締め付けボルト７が、楔形ホルダ締結具４から脱落を回避する。
【００２８】
すなわち、上記に図１０、１１を参照して説明したいずれの構成によっても、本発明の工具ホルダの締結装置１においては、楔形ホルダ締結具４のボルト貫通穴８’から締結具締め付けボルト７が脱落することなくに仮留め状態にしておくことができる。
【００２９】
以下に図１２〜１６を参照して、締結具締め付けボルト７が楔形ホルダ締結具４から脱落することなく、且つ工具ホルダ５を締結装置１に取り付け及び取り外しする状態で、工具ホルダ５を締結装置１から脱落することなくに仮留め状態にしておくことができる楔形ホルダ締結具４を具体的に説明する。
【００３０】
図１２に示すように、本発明の工具ホルダの締結装置においては、工具ホルダ５を締結装置１に締結する楔形ホルダ締結具４が、スプリングナット１２１でネジ締結される前記締結具締め付けボルト７を備えるとともに、楔形ホルダ締結具４のボルト貫通穴９’’の短軸方向のいずれか一方の側面に上向きバネ装着スリット１２７が設けられ、且つ上向きバネ装着スリット内に上向きバネ１２６が装着される。この構成を備えることによって、締結装置１に工具ホルダ５を締結する前後の締結具締め付けボルト７を緩めた状態において、上向きバネの端部１２６−１が、締結装置１と楔形ホルダ締結具の楔形側面１２と間隔を広げる方向に弾性的に作用して、工具ホルダ５を締結装置に仮留めする。
【００３１】
図１３に示すように、本発明の工具ホルダの締結装置においては、工具ホルダ５を締結装置１に締結する楔形ホルダ締結具４が、スプリングナット１２１でネジ締結される締結具締め付けボルト７を備えるとともに、楔形ホルダ締結具４のボルト貫通穴９’’の短軸方向のいずれか一方の側面に上向きバネ装着スリット１２７が設けられ、且つ上向きバネ装着スリット内に上向きバネ１２８が装着される。この構成を備えることによって、締結装置１に工具ホルダ５を締結する前後の締結具締め付けボルト７を緩めた状態において、上向きバネの端部１２８−１が、締結具締め付けボルト７と楔形ホルダ締結具の楔形側面１２と間隔を広げる方向に弾性的に作用して、工具ホルダ５を締結装置１に仮留めする。
【００３２】
図１４に示すように、本発明の工具ホルダの締結装置においては、工具ホルダ５を締結装置１に締結する楔形ホルダ締結具４が、頭部付きスリーブナット１２２とネジ締結される締結具締め付けボルト７を備えるとともに、頭付きスリーブナット１２２と楔形ホルダ締結具の楔形側面１２との間の楔形ホルダ締結具４内に備わり、且つ工具ホルダ５を締結装置に仮留めする板バネ１２４とを備える。それによって、この締結装置１に工具ホルダ５を取り付け及び取り外しする状態の締結具締め付けボルト７を緩めた状態において、板バネ１２４の弾性力が、楔形側面１２と頭付きスリーブナット１２１との間隔を広げる方向に作用して、工具ホルダ５を締結装置に仮留めする。
【００３３】
また、図１５に示すように、本発明の工具ホルダの締結装置においては、板バネ１２４の代わりに、固定端付きコイルバネ１２５を備える。それによって、締結装置１に工具ホルダ５を取り付け及び取り外しする状態の締結具締め付けボルト７を緩めた状態において、固定端付きコイルバネ１２５の弾性力が、楔形側面１２と頭付きスリーブナット１２１との間隔を広げる方向に作用して、工具ホルダ５を締結装置に仮留めする。
【００３４】
さらに、図１６に示すように、本発明の工具ホルダの締結装置においては、工具ホルダ５を締結装置１に締結する楔形ホルダ締結具４が、頭部付きスリーブナット１２２と、頭部付きスリーブナットでネジ締結される前記締結具締め付けボルト７とを備えるとともに、楔形ホルダ締結具４のボルト貫通穴９’’の短軸方向のいずれか一方の側面に横バネ装着スリット１３１が設けられ、且つ横バネ装着スリット内に横バネ１２９が装着される。横バネ１２９の一方の端部は、横バネ装着スリット内の穴１３２に挿入され、横バネ１２９のもう一方の端部が、締結具締め付けボルト７と楔形側面１２との間に存在するようにする。この構成を備えることによって、締結装置１に工具ホルダ５を締結する前後の締結具締め付けボルト７を緩めた状態において、横バネ１２９の弾性力が楔形側面１２と頭付きスリーブナット１２１との間隔を広げる方向に作用して、工具ホルダ５を締結装置に仮留めする。
【００３５】
すなわち、上記に図１２〜１６を参照して説明したいずれの構成によっても、本発明の工具ホルダの締結装置１においては、締結具締め付けボルト７が楔形ホルダ締結具４から脱落することなく、しかも工具ホルダ５を締結装置１に取り付け及び取り外しする状態で、工具ホルダ５を締結装置１から脱落することなくに仮留め状態にしておくことができる。
【００３６】
なお、図１０に示すスプリングナット１２１を有する締結具締め付けボルト７を備えた楔形ホルダ締結具４に、図１４に示す板バネ１２４、図１５に示す固定端付きコイルバネ１２５、及び図１６に示す横バネ１２９を備えることによっても、工具ホルダ５を締結装置１から脱落することなくに仮留め状態にしておくことができるという同様の効果を得ることができる。さらに、図１１に示す頭付きスリーブナット１２２を有する締結具締め付けボルト７を備えた楔形ホルダ締結具４に、図１２に示す上向きバネ１２６、及び図１３に示す上向きバネ１２８を備えることによっても、工具ホルダ５を締結装置１から脱落することなくに仮留め状態にしておくことができるという同様の効果を得ることができる。
【００３７】
【発明の効果】
本発明の工具ホルダの締結装置は、工具ホルダの締め付けボルトの削減及びジャッキアップネジの削除ができ、楔形ホルダ締結具の小型化及び簡素化を達成でき、現在使用されている工具ホルダ及び工具ホルダの締結装置を改良することなく、工具ホルダの着脱時間の短縮を達成できる。
【００３８】
さらに、本発明の工具ホルダの締結装置は、工具ホルダを正確な位置に配置することができ、工具交換時にも繰り返し正確な位置に再配置することを達成できる。また、本発明の工具ホルダの締結装置においては、締結具締め付けボルトが楔形ホルダ締結具から脱落することなく、しかも工具ホルダを締結装置に取り付け及び取り外しする状態で、工具ホルダを締結装置から脱落することなくに仮留め状態にしておくことができる。
【図面の簡単な説明】
【図１】図１は、工具ホルダを取り付け本発明に締結装置を示す図であり、図の（ａ）は、工具ホルダの側面とが互いに締結装置の溝底に対して直角に締結される場合を示し、図の（ｂ）は、楔形ホルダ締結具の側面が工具ホルダの側面に対して角度を成して互いに締結される場合を示す。
【図２】図２の（ａ）は、本発明のストッパー締め付けボルトと締結具締め付けボルトとを楔形ホルダ締結具に取り付けた図であり、（ｂ）は締め付けボルトを示す図であり、（ｃ）は、弾性リングを備えた締め付けボルトを示す図である。
【図３】図３は、本発明の別の締め付けボルトである左右両ネジ付き締め付けボルトを示す図である。
【図４】図４は、工具ホルダの側面またはコーナを押し付ける押し付けボルトを備える本発明の楔形ホルダ締結具を示す図であり、図（ａ）及び図（ｂ）は、側面を押し付ける押し付けボルトを示し、図の（ｃ）はコーナを押し付ける押し付けボルトを示す。
【図５】図５は、本発明のストッパーブロックに備わる調整手段を示す図であり、図５の（ａ）は、第１の調整手段である調節ネジ手段を備えたストッパーブロックを示し、図５の（ｂ）は、第２の調節手段である位置決め棒を備えたストッパーブロックを示す。
【図６】図６は、工具ホルダ５を軸方向に位置決めする本発明の別の手段を示す図であり、図６の（ａ）の押し付けボルトは、締結装置の側面に向かうネジであり、図６の（ｂ）の押し付けボルトは、締結装置の溝底面に向かうネジであり、且つ図６の（ｃ）の押し付けボルトは、締結装置の溝底面及び側面に対して所定の角度を成すネジである。
【図７】図７は、本発明の締結装置に装着を容易にした後端部を面取りした工具ホルダを示す図である。
【図８】図８は、工具ホルダを装着した従来の締結装置を示す図である。
【図９】図９は、弾性押し付け具及び弾性押し付け具付き押し付けボルトの一例としてのスプリングプランジャースクリューを示し、図９の（ａ）は、プラグネジ側の端部示し、図９の（ｂ）はスプリングプランジャースクリューの側部断面を示し、且つ図９の（ｃ）は工具ホルダに当接する先端部を示す。
【図１０】図１０は、スプリングナットを有する締結具締め付けボルトを用い、楔形ホルダ締結具を仮留め状態にしておく楔形ホルダ締結具の分解模式図を示す。
【図１１】図１１は、頭部付きスリーブナットを有する締結具締め付けボルトを用い、楔形ホルダ締結具を仮留め状態にしておく楔形ホルダ締結具の分解模式図を示す。
【図１２】図１２は、楔形ホルダ締結具を仮留め状態にして、且つ上向きバネを備えた楔形ホルダ締結具を用い、工具ホルダを締結装置から脱落することなくに仮留め状態にしておく楔形ホルダ締結具の分解模式図を示す。
【図１３】図１３は、楔形ホルダ締結具を仮留め状態にして、且つ別の上向きバネを備えた楔形ホルダ締結具を用い、工具ホルダを締結装置から脱落することなくに仮留め状態にしておく楔形ホルダ締結具の分解模式図を示す。
【図１４】図１４は、楔形ホルダ締結具を仮留め状態にして、且つ板バネを備える楔形ホルダ締結具を用い、工具ホルダを締結装置から脱落することなくに仮留め状態にしておく楔形ホルダ締結具の分解模式図を示す。
【図１５】図１５は、楔形ホルダ締結具を仮留め状態にして、且つ固定端付きコイルバネを備える楔形ホルダ締結具を用い、工具ホルダを締結装置から脱落することなくに仮留め状態にしておく楔形ホルダ締結具の分解模式図を示す。
【図１６】図１６は、楔形ホルダ締結具を仮留め状態にして、且つ横バネを備えた楔形ホルダ締結具を用い、工具ホルダを締結装置から脱落することなくに仮留め状態にしておく楔形ホルダ締結具の分解模式図を示す。
【符号の説明】
１…締結装置
２…ストッパーブロック
３…楔形ストッパー締結具
４…楔形ホルダ締結具
５…工具ホルダ
６…ストッパー締結具の締め付けボルト
７…ホルダ締結具の締め付けボルト
６’…ストッパー締結具の左右両ネジ付き締め付けボルト
７’…ホルダ締結具の左右両ネジ付き締め付けボルト
８…ネジ穴
８’…ボルト貫通穴
９…ネジ穴
９’…ボルト貫通穴
９’’…ボルト貫通穴９’’
１０…スリット
１１…締結装置の支持側面
１２…締結装置及び楔形ホルダ締結具の楔形側面
１３…楔形ホルダ締結具の側面
１４…工具ホルダの側面
１５…締結装置の溝底
１６…楔形ホルダ締結具の角度
１７…弾性リング
１８…押し付けボルト、弾性押し付け具、または弾性押し具付き押し付けボルト
１９…工具ホルダのコーナ
２０…調整ボルト
２１…固定ボルト
２２…位置決めボルト
２３…位置決め棒
２４…工具ホルダのＶ字状の切込み
２５…工具ホルダの面取り
２６…スプリングプランジャースクリュー
１０１…従来の締結装置
１１１…従来の工具ホルダ
１１２…従来の楔形ホルダ締結具
１１３…従来のジャッキアップボルト
１１４…従来のホルダ締結具の締め付けボルト
１２１…スプリングナット
１２２…頭付きスリーブナット
１２３…頭付きスリーブナットの頭部
１２４…板バネ
１２５…固定端付きコイルバネ
１２６…上向きバネ
１２６−１…上向きバネの端部
１２７…上向きバネ装着スリット
１２８…別種の上向きバネ
１２８−１…別種の上向きバネの端部
１２９…横バネ
１３０…横バネ装着スリット
１３１…横バネ装着スリットの穴
【図１】
2004209627.tif 000003
【図２】
2004209627.tif 000004
【図３】
2004209627.tif 000005
【図４】
2004209627.tif 000006
【図５】
2004209627.tif 000007
【図６】
2004209627.tif 000008
【図７】
2004209627.tif 000009
【図８】
2004209627.tif 000010
【図９】
2004209627.tif 000011
【図１０】
2004209627.tif 000012
【図１１】
2004209627.tif 000013
【図１２】
2004209627.tif 000014
【図１３】
2004209627.tif 000015
【図１４】
2004209627.tif 000016
【図１５】
2004209627.tif 000017
【図１６】
2004209627.tif 000018